(57)【要約】【課題】煩雑な操作を必要とすることなしにユーザの意図に沿った形式でＴＶ番組の録画を行える「ＡＶ記録システム」を提供する。【解決手段】電子番組表EPGを参照して取得した録画対象番組のカテゴリに対して、予めビデオファイルとして記録することが設定されている場合には、ＴＶチューナ２で受信した録画対象番組のビデオデータをビデオファイルとしてＨＤＤ１１に記録し、録画対象番組のカテゴリに対して、オーディオファイルとして記録することが設定されている場合には、ＴＶチューナ２で受信した録画対象番組のビデオデータから抽出したオーディオデータのみをオーディオファイルとしてＨＤＤ１１に記録する。【選択図】図２
2012222714.tif 000002
【特許請求の範囲】
【請求項１】
ＴＶチューナでＴＶ放送から受信した番組を記録装置に記録するＡＶ記録システムであって、
前記番組の各カテゴリに対して、ビデオファイルもしくはオーディオファイルの記録形式を登録した設定テーブルと、
前記ＴＶ放送の電子番組表を取得する電子番組表取得手段と、
ユーザによって録画対象とされた番組である録画対象番組のカテゴリを前記電子番組表より取得し、取得したカテゴリに対して前記設定テーブルに登録されている記録形式を当該録画対象番組の記録形式として設定する記録形式設定手段と、
前記録画対象番組の記録形式としてビデオファイルが設定されている場合には、前記ＴＶチューナで受信した当該録画対象番組のビデオデータを格納したビデオファイルを前記記録装置に記録し、当該録画対象番組の記録形式としてオーディオファイルが設定されている場合には、前記ＴＶチューナで受信した当該録画対象番組のビデオデータから抽出したオーディオデータのみを格納したオーディオファイルを前記記録装置に記録する記録実行手段とを有することを特徴とするＡＶ記録システム。
【請求項２】
接続されたポータブル記憶媒体に記録されているビデオファイルを読み込んで記録装置に記録するＡＶ記録システムであって、
ＴＶ放送の番組の各カテゴリに対して、ビデオファイルもしくはオーディオファイルの記録形式を登録した設定テーブルと、
ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、
前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段と、
ＴＶ放送の電子番組表を取得する電子番組表取得手段とを有し、
前記記録形式設定手段は、前記電子番組表に登録されている、前記読込対象ビデオファイルのファイル名またはその一部とマッチする番組名の番組のカテゴリを、前記読込対象ビデオファイルのカテゴリとして推定することを特徴とするＡＶ記録システム。
【請求項３】
接続されたポータブル記憶媒体に記録されているビデオファイルを読み込んで記録装置に記録するＡＶ記録システムであって、
ビデオファイルのビデオデータが表すコンテンツの各カテゴリに対して、ビデオファイルもしくはオーディオファイルの記録形式を登録した設定テーブルと、
ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、
前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段と、
キーワードと当該キーワードに対応づけるカテゴリとを登録したデータベースとを有し、
前記記録形式設定手段は、前記データベースに登録されている、前記読込対象ビデオファイルのファイル名またはその一部とマッチするキーワードに対して、当該データベースにおいて対応づけられているカテゴリを、前記読込対象ビデオファイルのカテゴリとして推定することを特徴とするＡＶ記録システム。
【請求項４】
接続されたポータブル記憶媒体に記録されているビデオファイルを読み込んで記録装置に記録するＡＶ記録システムであって、
ビデオファイルのビデオデータが表すコンテンツの各カテゴリに対して、ビデオファイルもしくはオーディオファイルの記録形式を登録した設定テーブルと、
ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、
前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段とを有し、
前記記録形式設定手段は、前記読込対象ビデオファイルに含まれるメタデータが示す、当該ビデオファイルの内容のジャンルまたはカテゴリに対応するカテゴリを、当該読込対象ビデオファイルのカテゴリとして推定することを特徴とするＡＶ記録システム。
【請求項５】
請求項１、２、３または４記載のＡＶ記録システムであって、
ユーザのカテゴリ毎の前記記録形式の設定操作に応じて、前記設定テーブルを編集する設定テーブル編集手段を有することを特徴とするＡＶシステム。
【発明の詳細な説明】
【技術分野】
【０００１】
本発明は、ＡＶファイルを記録するＡＶ記録システムに関するものである。
【背景技術】
【０００２】
ＡＶファイルを記録するＡＶ記録システムの技術としては、ＴＶチューナで受信したビデオデータをビデオファイルとして記録するＡＶ記録システムにおいて、記録指示時のユーザの選択に従って、ＴＶチューナで受信したビデオデータに含まれるオーディオデータのみをオーディオファイルとして記録する技術（特許文献１）が知られている。
【０００３】
また、ビデオファイルの転送時に、当該ビデオファイルの形式が転送先の装置が再生できないものであった場合に、記録しているビデオファイルのビデオデータに含まれるオーディオデータのみを抽出して、転送先の装置が再生可能な形式のオーディオファイルを生成して転送する技術（特許文献２）も知られている。
【先行技術文献】
【特許文献】
【０００４】
【特許文献１】特開２００７-２８０５００号公報
【特許文献２】特開２００８-０３５３９６号公報
【発明の概要】
【発明が解決しようとする課題】
【０００５】
前述したような記録指示時のユーザの選択に従って、ＴＶチューナで受信したビデオデータに含まれるオーディオデータのみをオーディオファイルとして記録する技術によれば、個々の番組毎に、ＴＶチューナで受信したビデオデータに含まれるオーディオデータのみを記録するか否かを、ユーザの意図に沿ってユーザ自身が設定する煩雑な操作が必要となる。
【０００６】
そこで、本発明は、番組毎の煩雑な操作を必要とすることなしに、ビデオファイルとオーディオファイルとのうちの、ユーザの意図に沿った形式でＴＶ番組の記録を行えるＡＶ記録システムを提供することを課題とする。
【課題を解決するための手段】
【０００７】
前記課題達成のために、本発明は、ＴＶチューナでＴＶ放送から受信した番組を記録装置に記録するＡＶ記録システムに、前記番組の各カテゴリに対して、ビデオファイルもしくはオーディオファイルの記録形式を登録した設定テーブルと、前記ＴＶ放送の電子番組表を取得する電子番組表取得手段と、ユーザによって録画対象とされた番組である録画対象番組のカテゴリを前記電子番組表より取得し、取得したカテゴリに対して前記設定テーブルに登録されている記録形式を当該録画対象番組の記録形式として設定する記録形式設定手段と、前記録画対象番組の記録形式としてビデオファイルが設定されている場合には、前記ＴＶチューナで受信した当該録画対象番組のビデオデータを格納したビデオファイルを前記記録装置に記録し、当該録画対象番組の記録形式としてオーディオファイルが設定されている場合には、前記ＴＶチューナで受信した当該録画対象番組のビデオデータから抽出したオーディオデータのみを格納したオーディオファイルを前記記録装置に記録する記録実行手段とを備えたものである。
【０００８】
このように、本発明に係るＡＶ記録システムによれば、番組のカテゴリ毎に、番組をビデオファイルとして記録するかオーディオファイルで記録するかの記録形式を設定するだけで、録画する各番組が当該番組のカテゴリに設定されている記録形式で記録されることとなる。
【０００９】
ここで、ユーザが意図する番組の記録形式は、ユーザが記録した番組をどのように利用するかに依存しており、ユーザが番組をどのように利用するかは、おおよそ、番組のカテゴリ毎に定まっている蓋然性が大きい。
よって、本発明に係るＡＶ記録システムによれば、個々の番組毎に、ＴＶチューナで受信したビデオデータに含まれるオーディオデータのみを記録するか否かを、ユーザの意図に沿ってユーザ自身が設定する煩雑な作業を要することなく、ユーザの意図に沿った記録形式でＴＶ番組の記録を行うことができるようになる。
【００１０】
また、前記課題達成のために、本発明は、接続されたポータブル記憶媒体に記録されているビデオファイルを読み込んで記録装置に記録するＡＶ記録システムに、ＴＶ放送の番組の各カテゴリに対して、ビデオファイルのビデオデータが表すコンテンツの各カテゴリに対して、ビデオファイルもしくはオーディオファイルの記録形式を登録した設定テーブルと、ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段と、ＴＶ放送の電子番組表を取得する電子番組表取得手段とを設け、前記記録形式設定手段において、前記電子番組表に登録されている、前記読込対象ビデオファイルのファイル名またはその一部とマッチする番組名の番組のカテゴリを、前記読込対象ビデオファイルのカテゴリとして推定するようにしたものである。
【００１１】
このようなＡＶ記録システムによれば、ＴＶ放送の番組のカテゴリ毎に、ビデオファイルとして記録するかオーディオファイルで記録するかの記録形式を設定するだけで、ポータブル記憶媒体に記録されている、ＴＶ放送の番組を録画した当該番組の番組名をファイル名としているビデオファイルを、当該番組のカテゴリに設定されている記録形式で記録装置に記録することができる。
【００１２】
そして、前述のように、ユーザが意図する番組の記録形式は、おおよそ、番組のカテゴリ毎に定まっている蓋然性が大きい。
よって、このようなポータブル記憶媒体に記録されている、番組を録画した当該番組の番組名をファイル名としているビデオファイルについて、ユーザの意図に沿った記録形式で記録することができる
また、前記課題達成のために、本発明は、接続されたポータブル記憶媒体に記録されているビデオファイルを読み込んで記録装置に記録するＡＶ記録システムに、ビデオファイルのビデオデータが表すコンテンツの各カテゴリに対して、ビデオファイルもしくはオーディオファイルの記録形式を登録した設定テーブルと、ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段と、キーワードと当該キーワードに対応づけるカテゴリとを登録したデータベースとを設け、前記記録形式設定手段において、前記データベースに登録されている、前記読込対象ビデオファイルのファイル名またはその一部とマッチするキーワードに対して、当該データベースにおいて対応づけられているカテゴリを、前記読込対象ビデオファイルのカテゴリとして推定するようにしたものである。
【００１３】
このようなＡＶ記録システムによれば、ビデオファイルのコンテンツのカテゴリ毎にビデオファイルとして記録するかオーディオファイルで記録するかの記録形式を設定するだけで、ポータブル記憶媒体に記録されている、カテゴリに対応づけられたキーワードを含むファイル名を有するビデオファイルは、当該カテゴリに設定されている記録形式で記録装置に記録されることとなる。ここで、ビデオファイルには、コンテンツを表すファイル名が与えられていることが多い。たとえば、ＴＶ放送の番組を録画したビデオファイルには、当該番組の番組名がファイル名として与えられることが多い。
【００１４】
そして、ユーザが意図する記録形式は、おおよそ、ビデオファイルのコンテンツのカテゴリ毎に定まっている蓋然性が大きい。
よって、カテゴリに対して当該カテゴリに属するコンテンツを表すキーワードを対応づけておくことにより、ポータブル記憶媒体に記録されている、コンテンツを表すキーワードを含むファイル名を有するビデオファイルについて、ユーザの意図に沿った記録形式で記録装置に記録することができるようになる。
【００１５】
また、前記課題達成のために、本発明は、接続されたポータブル記憶媒体に記録されているビデオファイルを読み込んで記録装置に記録するＡＶ記録システムに、ビデオファイルのビデオデータが表すコンテンツの各カテゴリに対して、ビデオファイルもしくはオーディオファイルの記録形式を登録した設定テーブルと、ユーザによって読込対象とされた前記ポータブル記憶媒体に記録されているビデオファイルである読込対象ビデオファイルのカテゴリを推定し、推定したカテゴリに対して前記設定テーブルに登録されている記録形式を当該読込対象ビデオファイルの記録形式として設定する記録形式設定手段と、前記読込対象ビデオファイルの記録形式としてビデオファイルが設定されている場合には、前記ポータブル記憶媒体に記録されている前記読込対象ビデオファイルを前記記録装置に記録し、前記読込対象ビデオファイルの記録形式としてオーディオファイルが設定されている場合には当該読込対象ビデオファイルのビデオデータから抽出したオーディオデータのみを格納したオーディオファイルを前記記録装置に記録する記録実行手段とを備え、前記記録形式設定手段において、前記読込対象ビデオファイルに含まれるメタデータが示す、当該ビデオファイルの内容のジャンルまたはカテゴリに対応するカテゴリを、当該読込対象ビデオファイルのカテゴリとして推定するようにしたものである。
【００１６】
このようなＡＶ記録システムによれば、ビデオファイルのコンテンツのカテゴリ毎にビデオファイルとして記録するかオーディオファイルで記録するかの記録形式を設定するだけで、ポータブル記憶媒体に記録されている、ビデオファイルは、当該ビデオファイルに含まれるメタデータが示すジャンルやカテゴリに対応するカテゴリに設定されている記録形式で記録装置に記録されることとなる。
【００１７】
そして、ユーザが意図する記録形式は、おおよそ、ビデオファイルのコンテンツのジャンルやカテゴリ毎に定まっている蓋然性が大きい。
よって、ポータブル記憶媒体に記録されている、コンテンツを表すキーワードを含むファイル名を有するビデオファイルについて、ユーザの意図に沿った記録形式で記録装置に記録することができるようになる。
なお、以上のようなＡＶ記録システムには、ユーザのカテゴリ毎の前記記録形式の設定操作に応じて、前記設定テーブルを編集する設定テーブル編集手段を設けることが好ましい。
【発明の効果】
【００１８】
以上のように、本発明によれば、番組毎の煩雑な操作を必要とすることなしに、ビデオファイルとオーディオファイルとのうちの、ユーザの意図に沿った形式でＴＶ番組の記録を行えるＡＶ記録システムを提供することができる。
【図面の簡単な説明】
【００１９】
【図１】本発明の実施形態に係るＡＶシステムの構成を示す図である。
【図２】本発明の実施形態に係る記録オプション設定メニューと録画記録オプションテーブルと読込記録オプションテーブルとを示す図である。
【図３】本発明の実施形態に係る録画処理を示すフローチャートである。
【図４】本発明の実施形態に係るビデオファイル読込処理を示すフローチャートである。
【発明を実施するための形態】
【００２０】
以下、本発明の実施形態について説明する。
図１に、本実施形態に係るＡＶシステムの構成を示す。
図示するように、ＡＶシステムは、主ユニット１、デジタルＴＶ放送を受信するＴＶチューナ２、スピーカ３、表示装置４とを備えている。
また、主ユニット１は、ＨＤＤ１１、メモリカード５を装着可能な外部インタフェース１２、表示装置４の表示を制御する表示制御部１３、スピーカ３への音声出力を制御する音声出力制御部１４、ユーザ操作を受け付ける操作部１５、制御部１６、記録処理部１７、再生処理部１８とを備えている。
【００２１】
ここで、ＨＤＤ１１には、ＴＶチューナ２がデジタルＴＶ放送から受信した電子番組表であるEPGや、ビデオファイルや、オーディオファイルが格納されている。また、この他、後述する録画記録オプションテーブルと読込記録オプションテーブルなどもＨＤＤ１１に格納されている。
【００２２】
そして、制御部１６は、ＴＶチューナ２がデジタルＴＶ放送から繰り返し受信する電子番組表EPGをＨＤＤ１１に格納、更新する処理を行う。
一方、記録処理部１７は、操作部１５で受け付けたユーザの録画開始操作や録画予約操作に応じて、ユーザによって選定された録画対象とする番組を録画対象番組に設定する。そして、ＴＶチューナ２がデジタルＴＶ放送から受信した録画対象番組のビデオデータをビデオファイルとしてＨＤＤ１１に記録したり、ＴＶチューナ２がデジタルＴＶ放送から受信した録画対象番組のビデオデータから抽出したオーディオデータをオーディオファイルとしてＨＤＤ１１に記録する録画処理を行う。
【００２３】
また、記録処理部１７は、操作部１５で受け付けたユーザのファイル読込操作に応じて、ユーザによって選定された、外部インタフェース１２に装着されたメモリカード５からの読み込みの対象するビデオファイルを読込対象ビデオファイルに設定する。そして、読込対象ビデオファイルをメモリカード５から読み込んでＨＤＤ１１に記録したり、メモリカード５から読み込んだ読込対象ビデオファイルに格納されているビデオデータから抽出したオーディオデータをオーディオファイルとしてＨＤＤ１１に記録するビデオファイル読込処理を行う。
【００２４】
そして、再生処理部１８は、操作部１５で受け付けたユーザ操作に応じて、ＨＤＤ１１に記録されているビデオファイルやオーディオファイルを再生し、表示制御部１３や音声出力制御部１４を介して、表示装置４やスピーカ３へ出力する処理を行う。
ここで、このような構成において、制御部１６は、上述のような録画処理や、ビデオファイル読込処理に先だって、操作部１５を介したユーザの記録オプション設定メニュー呼び出し操作に応答して、図２ａに示すような、記録オプション設定メニューを表示制御部１３を介して表示装置４に表示し、デジタルＴＶ放送で放送される番組のカテゴリ（たとえば、ニュース、スポーツ、音楽、バラエティ等）毎に、そのカテゴリの番組を記録する際に、ビデオファイルとして記録するかオーディオファイルとして記録するかの設定をユーザから受け付ける。そして、受け付けた各設定内容を図２ｂに示すように、ＨＤＤ１１に格納している録画記録オプションテーブルに登録する。なお、図２ａ中の、「映像とオーディオを録画」の選択項目がビデオファイルとして記録することの設定を受け付けるための選択項目であり、「オーディオのみ録画」の選択項目がオーディオファイルとして記録することの設定を受け付けるための選択項目である。
【００２５】
また、制御部１６は、同様に、記録オプション設定メニューを用いて、上述したカテゴリ毎に、そのカテゴリの番組を記録したビデオファイルをメモリカード５からＨＤＤ１１に読み込む際に、ビデオファイルとして記録するかオーディオファイルとして記録するかの設定をユーザから受け付ける。そして、受け付けた各設定内容を図２ｃに示すように、ＨＤＤ１１に格納している読込記録オプションテーブルに登録する。
【００２６】
ここで、以上のように記録オプション設定メニューでビデオファイルとして記録するかオーディオファイルとして記録するかの設定を受け付けるカテゴリとしては、ＴＶチューナ２がデジタルＴＶ放送から繰り返し受信する電子番組表EPGにおいて番組内容の種別を表すために用いられているカテゴリと同じものを用いる。
【００２７】
以下、上述した録画処理とビデオファイル読込処理について説明する。
まず、記録処理部１７が行う録画処理について説明する。
図３ａに、録画処理の手順を示す。
図示するように、録画処理では、録画対象番組が設定されたならば（ステップ３０２）、ＨＤＤ１１に格納されている電子番組表EPGを参照して、録画対象番組のカテゴリを取得する（ステップ３０４）。
そして、取得したカテゴリに対してＨＤＤ１１の録画記録オプションテーブルにビデオファイルとして記録することが設定されている場合には、録画対象番組の記録形式をビデオファイルに設定し、取得したカテゴリに対してＨＤＤ１１の録画記録オプションテーブルにオーディオファイルとして記録することが設定されている場合には、録画対象番組の記録形式をオーディオファイルに設定する（ステップ３０６）。そして、録画対象番組を、処理対象とする録画実行処理を起動し（ステップ３０８）、ステップ３０２からの処理に戻る。
【００２８】
一方、ステップ３０８で起動された録画実行処理は、処理対象の録画対象番組の放送時間となったならば（ステップ３５２）、必要な場合にはＴＶチューナ２の受信チャネルを処理対象の録画対象番組の放送チャネルに変更した上で、ＴＶチューナ２が受信した処理対象の録画対象番組を、当該録画対象番組に設定されている記録形式でＨＤＤ１１に記録する（ステップ３５４）。すなわち、設定されている記録形式がビデオファイルであれば、受信した処理対象の録画対象番組のビデオデータをビデオファイルとしてＨＤＤ１１に記録し、設定されている記録形式がオーディオファイルであれば、受信した処理対象の録画対象番組のビデオデータから抽出したオーディオデータのみをオーディオファイルとしてＨＤＤ１１に記録する。
【００２９】
そして、録画実行処理を終了する。
以上、録画処理部が行う録画処理について説明した。
このような録画処理によれば、番組のカテゴリ毎に、番組をビデオファイルとして記録するかオーディオファイルとして記録するかの記録形式を設定するだけで、録画する各番組が当該番組のカテゴリに設定されている記録形式で記録されることとなる。
ここで、ユーザが意図する番組の記録形式は、ユーザが記録した番組をどのように利用するかに依存しており、ユーザが番組をどのように利用するかは、おおよそ、番組のカテゴリ毎に定まっている蓋然性が大きい。
よって、本録画処理によれば、個々の番組毎に、ＴＶチューナ２で受信したビデオデータに含まれるオーディオデータのみを記録するか否かをユーザ自身が設定する煩雑な作業を要することなく、ユーザの意図に沿った記録形式でＴＶ番組の録画を行うことができるようになる。
【００３０】
次に、記録処理部１７が行うビデオファイル読込処理について説明する。
図４に、ビデオファイル読込処理の手順を示す。
図示するように、この処理では、読込対象ビデオファイルが設定されたならば（ステップ４０２）、読込対象ビデオファイルのカテゴリを設定する（ステップ４０４）。
ここで、読込対象ビデオファイルのカテゴリの設定はＨＤＤ１１に格納されている電子番組表EPGを利用して次のように行う。
すなわち、読込対象ビデオファイルがＴＶ番組を他のＡＶ装置で録画したビデオファイルであれば、録画した番組の番組名が当該ビデオファイルのファイル名に含まれていることが多い。そこで、ＨＤＤ１１に格納されている電子番組表EPGから、読込対象ビデオファイルのファイル名に最も一致する番組名の番組を探索し、探索した番組のカテゴリを読込対象ビデオファイルのカテゴリとして設定する。ただし、この場合には、電子番組表EPGに、読込対象ビデオファイルのファイル名と所定レベル以上マッチする番組名の番組が含まれていない場合には、読込対象ビデオファイルのカテゴリを不特定とする。
【００３１】
または、読込対象ビデオファイルのカテゴリの設定は、予めＨＤＤ１１に、過去に放送された番組の各番組名または番組名中の番組を表すキーワードとなる文言と当該番組のカテゴリとを対応付けて登録したデータベースを設け、当該データベースに登録されている、読込対象ビデオファイルのファイル名に最も一致する番組名や読込対象ビデオファイルのファイル名に含まれる文言に最も一致する文言に、当該データベースにおいて対応づけて登録されているカテゴリを読込対象ビデオファイルのカテゴリとして設定する。また、この場合において、当該データベースは、制御部１６が、これまでにＴＶチューナ２が受信した電子番組表EPGに基づいてＨＤＤ１１上に作成/更新するものであってもよい。
【００３２】
または、読込対象ビデオファイルのカテゴリの設定は、予めＨＤＤ１１に、ビデオの内容（コンテンツ）を表す文言をキーワードとして、キーワードと、ビデオの内容のカテゴリとを対応付けて登録したデータベースを設け、当該データベースに登録されている、読込対象ビデオファイルのファイル名に含まれる文言に最も一致するキーワードに、当該データベースにおいて対応づけて登録されているカテゴリを読込対象ビデオファイルのカテゴリとして設定するようにしてもよい。
【００３３】
ただし、これらのデータベースを設ける場合にも、データベースに、読込対象ビデオファイルのファイル名やファイル名中の文言と所定レベル以上マッチする番組名やキーワードが含まれていない場合には、読込対象ビデオファイルのカテゴリを不特定とする。
次に、このようにして読込対象ビデオファイルのカテゴリを設定したならば（ステップ４０４）、設定したカテゴリに対して、ＨＤＤ１１の読込記録オプションテーブルにビデオファイルとして記録することが設定されている場合には、読込対象ビデオファイルの記録形式をビデオファイルに設定し、取得したカテゴリに対して、ＨＤＤ１１の読込記録オプションテーブルにオーディオファイルとして記録することが設定されている場合には、読込対象ビデオファイルの記録形式をオーディオファイルに設定する（ステップ４０６）。なお、読込対象ビデオファイルのカテゴリが不特定である場合には、読込対象ビデオファイルの記録形式はビデオファイルとする。
【００３４】
そして、メモリカード５に記録されている読込対象ビデオファイルを読み込み、設定されている記録形式でＨＤＤ１１に記録する（ステップ４０８）。すなわち、設定されている記録形式がビデオファイルであれば、読み込んだ読込対象ビデオファイルをそのままビデオファイルとしてＨＤＤ１１に記録し、設定されている記録形式がオーディオファイルであれば、読み込んだ読込対象ビデオファイルのビデオデータから抽出したオーディオデータのみをオーディオファイルとしてＨＤＤ１１に記録する。
【００３５】
そして、ステップ４０２からの処理に戻る。
以上、ビデオファイル読込処理について説明した。
このようなビデオファイル読込処理によれば、過去に放送された番組の各番組名または番組名中のキーワードとなる単語と当該番組のカテゴリとを対応付けて登録したデータベースを設けた場合には、番組のカテゴリ毎に、ビデオファイルとして記録するかオーディオファイルで記録するかの記録形式を設定するだけで、メモリカード５に記録されている、ＴＶ放送の番組を録画した当該番組の番組名をファイル名としているビデオファイルを、当該番組のカテゴリに設定されている記録形式で記録装置に記録することができる。
【００３６】
そして、前述のように、ユーザが意図する番組の記録形式は、おおよそ、番組のカテゴリ毎に定まっている蓋然性が大きいので、本ビデオファイル読込処理によって、このようなメモリカード５に記録されている、番組を録画した当該番組の番組名をファイル名としているビデオファイルについて、ユーザの意図に沿った記録形式でＨＤＤ１１に記録することができるようになる。
【００３７】
また、このようなビデオファイル読込処理によれば、ビデオの内容を表す文言をキーワードとして、キーワードとビデオの内容のカテゴリとを対応付けて登録したデータベースを設けた場合には、ビデオの内容のカテゴリ毎にビデオファイルとして記録するかオーディオファイルで記録するかの記録形式を設定するだけで、メモリカード５に記録されている、カテゴリに対応づけられたキーワードを含むファイル名を有するビデオファイルは、当該カテゴリに設定されている記録形式でＨＤＤ１１に記録されることとなる。ここで、ビデオファイルには、内容を表すファイル名が与えられていることが多い。
【００３８】
そして、前述のように、ユーザが意図する記録形式は、おおよそ、ビデオファイルの内容のカテゴリ毎に定まっている蓋然性が大きいので、本ビデオ読込処理によって、メモリカード５に記録されている、内容を表す文言を含むファイル名を有するビデオファイルについて、ユーザの意図に沿った記録形式でＨＤＤ１１に記録することができるようになる。
【００３９】
ところで、以上では、ビデオファイル読込処理のステップ４０４において、ビデオファイルのファイル名に基づいてカテゴリを決定するようにしたが、ビデオファイルに、ビデオの内容（コンテンツ）のジャンルやカテゴリをメタデータが含まれている場合には、ビデオファイル読込処理のステップ４０４において、当該メタデータが示すジャンルやカテゴリに従って、ビデオファイルのカテゴリを決定するようにしてもよい。
【００４０】
以上、本発明の実施形態について説明した。
なお、以上では、ＡＶシステムにビデオファイルを読み込む対象としてメモリカード５を用いたが、本実施形態は、メモリカード５に代えて任意のポータブル記憶媒体をＡＶシステムにビデオファイルを読み込む対象として用いるようにすることができる。
【符号の説明】
【００４１】
１…主ユニット、２…ＴＶチューナ、３…スピーカ、４…表示装置、５…メモリカード、１１…ＨＤＤ、１２…外部インタフェース、１３…表示制御部、１４…音声出力制御部、１５…操作部、１６…制御部、１７…記録処理部、１８…再生処理部。
【図１】
2012222714.tif 000003
【図２】
2012222714.tif 000004
【図３】
2012222714.tif 000005
【図４】
2012222714.tif 000006